(57)【要約】【課題】  高周波加熱装置において、自動的に開成する使い勝手のよいドアを提供する。【解決手段】  食品２を収納する加熱室３と、加熱室３の開口部４に装備した開閉自在なドア６と、ドア６の開閉に連動して作動するドアスイッチ９と、加熱室３の開口部４を構成する前板５と、ドアが６閉成した時、前板５とドア６が密着するように引力するコイルバネ１６と、一端を前記ドア６に回転可能に取り付けられ、他端にコイルバネ１６を接続したドアアーム７とを備える高周波加熱装置において、該装置の前面に前方に露出したインターフェース１０部と、前記インターフェース部１０と連動してドアを開成するドア開成手段２１を備え、ドア６が閉じられている状態で前記インターフェース部１０を操作した時、前記ドア開成手段２１によりドア６が自動的に開成するようにした。【選択図】図２
2005326084.tif 000002
【特許請求の範囲】
【請求項１】
食品（２）を収納する加熱室（３）と、加熱室（３）の開口部（４）に装備した開閉自在なドア（６）と、ドア（６）の開閉に連動して作動するドアスイッチ（９）と、加熱室（３）の開口部（４）を構成する前板（５）と、ドア（６）が閉成した時、前板（５）とドア（６）が密着するように引力するコイルバネ（１６）と、一端を前記ドアに回転可能に取り付けられ、他端にコイルバネ（１６）を接続したドアアーム（７）とを備える高周波加熱装置において、該装置の前面に前方に露出するインターフェース部（１０）とインターフェース部（１０）と連動してドア（６）を開成するドア開成手段（２１）を備え、ドア（６）が閉じられている状態でインターフェース部（１０）を操作した時、ドア開成手段（２１）によりドア（６）が自動的に開成することを特徴とする高周波加熱装置。
【請求項２】
インターフェース部（１０）は、ドア（６）前面に取り付けられ、前方に露出していることを特徴とする請求項１記載の高周波加熱装置。
【請求項３】
インターフェース部（１０）と連動するドア開成手段（２１）は、インターフェース部（１０）からの入力を伝達する伝達手段（１７）と、ドア（６）を閉止状態に保つ第一のローラレール部（１８）と、開き始めにドア開成力を付勢する第三のローラレール部（２０）と、ドア（６）が開ききるようにドア開成力を付勢する第二のローラレール部（１９）と、インターフェース部（１０）からの入力をドア開成力として保持するエネルギー保持手段（１５）とを備え、インターフェース部（１０）からの入力が終了した後にエネルギー保持手段（１５）に蓄えられたドア開成力によってドア（６）を自動的に開成させることを特徴とする請求項１記載の高周波加熱装置。
【請求項４】
ドア（６）は、ドア閉止時にドア（６）の回転中心（６ｃ）を通る鉛直線上よりドア（６）が閉止する方向にドア重心（６ｄ）の位置を配置することにより、ドア（６）が閉止する方向にドア自重（６ｄ）を作用させ、ドア開成手段（２１）によりドアの回転中心（６ｃ）を通る鉛直線上を超えてドア（６）が開成する方向にドア重心（６ｄ）の位置を移動させた後の開成動作中にドア（６）が開成する方向にドア自重（６ｄ）を作用させることを特徴とする請求項１記載の高周波加熱装置。
【請求項５】
ドア開成手段（２１）は、開き始めに第三のローラレール部（２０）によってドア開成力をドアアーム（７）に付勢すると同時に、第一のローラレール部（１８）のローラ（１４ａ）とレール（７ｄ）を引き離すように構成されていることによりドア閉止力を解除することを特徴とする請求項１記載の高周波加熱装置。
【請求項６】
ドア開成手段（２１）において、エネルギー保持手段（１５）は、ドア開成動作時にその保持状態を解除するように構成されていることを特徴とする請求項１記載の高周波加熱装置。
【請求項７】
インターフェース部（１０）を操作しないとき、手動でドア（６）を開成することを可能とした請求項１記載の高周波加熱装置。
【発明の詳細な説明】
【技術分野】
【０００１】
本発明は、高周波加熱装置に関し、特には加熱室の開口部に装備した開閉自在なドアの開成方式に関するものである。
【背景技術】
【０００２】
従来、高周波加熱装置のドアとしては、図１に記載されているようなものが一般的であった。
【０００３】
図１は従来及び本発明を説明するための高周波加熱装置の外観斜視図で、１はその装置の本体である。２は食品である。３は食品２を収納する加熱室である。
【０００４】
４は加熱室３に食品２を出し入れする開口部である。５は前板で、開口部４の周囲に設けられている金属の平板からなる加熱室３を構成する部品の一つである。
【０００５】
６は開閉自在な縦開きドアで、食品２を加熱室３から出し入れするとき使用するもの
で、食品２の加熱中は前記前板５に密着している。６ａはファインダで、ドア６が閉じられているとき加熱室３内の様子を観察するために設けられている。
【０００６】
６ｂはドア６を開閉するとき使用する取手である。７はドアアームで、前板５に設けられた穴５ａを貫通しており、一端はドア６に回転可能に支持され、他端には図示していないコイルバネが取り付けられ、コイルバネの他端は本体の一部に固定されている。このドアアーム７は、開口部４を挟んで左右２箇所に設けられ、ドア６が開ききったとき安定するよう支えたりするものである。８は加熱室３やドアアーム７やコイルバネなどの構成部品を覆うキャビネットである。
【０００７】
９はドアスイッチで、ドア６が閉じられているとき図示していない高周波発生装置を動作可能とし、ドア６が前板５から離れて開くとき高周波発生装置を動作不可とするものである。
【０００８】
従来、高周波加熱装置の本体１のドア６は、加熱室３の開口部４を塞ぐために設けられたもので、食品２の調理中、加熱室３内の高周波が外部に漏洩しないようにするとともに、熱や水蒸気などもできるだけ加熱室３外に漏れないようにする構造が取り入れられている。
【０００９】
また、ドア６は、食品２の有無や、加熱中の食品の加熱状況が観察できるように高周波漏洩防用の金属パンチング穴とこれを保護する耐熱ガラスから構成されるファインダ６ａが設けられ、加熱室３内が覗けることができる構造が取り入れられている。さらに使用者が操作する取手６ｂを有している。
【００１０】
従って、ドア６の構造が複雑になり、ドア６の重量が重くなるとともに、加熱室３の開口部４周辺の平面部とドア６の平面部との密着を良くするためドアをコイルバネなどで強く引き込んだりするため、開閉動作が重くなる傾向にあった。
【００１１】
また、加熱する食品や水の入った重い容器などを両手で持っているとき、又は手が汚れている等により取手６ｂを握ることができなく、指を取手６ｂに引っ掛けて開けようとした時などは、ドアの開閉動作が重くなる傾向にあるため、開成操作が行ないにくい場合が多々生じることがあった。
【００１２】
このため、使用者ができるだけ使いやすくするため特許文献１及び２に開示されているように、操作パネルのキーボードを操作して電動装置を電気的に作動させ、ドアを固定しているドアキーを開放してドアを開成させる構成のものがあった。
【００１３】
また、特許文献３に開示されているように、リリースボタンと、リリースボタンと連動して移動する回転支点を持つレバーと、レバーの回動により上下移動する作動板と、作動板に押圧されて係止部からフックが外れることにより扉を開成させる構成のものもあった。
【００１４】
【特許文献１】特開２００２−２６７１７７号公報
【００１５】
【特許文献２】特開平１−２９１０２０号公報
【特許文献３】特開平７−７１７６８号公報
【発明の開示】
【発明が解決しようとする課題】
【００１６】
高周波加熱装置のドアの開閉方法は、上下に動作させて開閉する縦開きドアと左右に動作させて開閉する横開きドアの二通りある。
【００１７】
前者の縦開きドアは、部品構成が多くなるため製造原価が高くなるが、ドアを開けきったとき食品を載置できるとか、開閉途中で停止しないため安全性に優れており（特にヒータ加熱のときドアが百数十℃になった場合有効である）、主に高周波加熱装置の高級機機種に採用されている。
【００１８】
一方、後者の横開きドアは、製造原価が縦開きドアより安くなるため比較的低価格ゾーンの機種に採用されている。しかし、ドアを開けきらない位置で停止することが多く、ドアの動きは安定しない。
【００１９】
このような状況の中、特許文献１及び特許文献２に示すものは、上記で説明した横開き式ドアをキーボードからの信号で電動装置を動作させ、ドアのドアキーを加熱室から開放しドアを開けるため、ドアは完全に開ききれず使用者がドアを完全に開けなければならないという問題があった。
【００２０】
また、ドアは安定していないためドアが加熱中熱くなっている場合、手や腕などに触れるチャンスが多く、熱いドアに触れ火傷をする恐れがあるという問題があった。
【００２１】
また、電動装置の動作によりドアを開成させるため、停電等の電源切断時の動作が不可能であり、手動で動作させる場合にも通常の開成動作と異なる動作をしなければならず、使い勝手が悪いという問題があった。
【００２２】
さらに、特許文献３に示すものは、リリースボタンが装置前面より前方に露出していないので、手が汚れている場合などひじや手の甲などでリリースボタンを操作する際に装置本体の前面を汚したり、ひじ等で押せないなど使い勝手が悪いという問題があった。
【００２３】
また、リリースボタンを押している時に扉が開くため、扉と手や腕が触れる可能性があり、熱い扉に触れて火傷をする恐れがあるという問題があった。
【００２４】
さらに、係止部は、フックが扉を閉じる方向にのみ移動可能としているため、フックが扉を開く方向に移動する場合で、リリースボタン操作を行わない手動操作時に扉を開くことができないという問題があった。
【課題を解決するための手段】
【００２５】
本発明は上記の課題を解決するためになされたものであり、請求項１では、食品を収納する加熱室と、加熱室の開口部に装備した開閉自在なドアと、ドアの開閉に連動して作動するドアスイッチと、加熱室の開口部を構成する前板と、ドアが閉成した時、前板とドアが密着するように引力するコイルバネと、一端を前記ドアに回転可能に取り付けられ、他端にコイルバネを接続したドアアームとを備える高周波加熱装置において、該装置の前面に前方に露出するインターフェース部と、インターフェース部と連動してドアを開成するドア開成手段を備え、ドアが閉じられている状態で前記インターフェース部を操作した時、前記ドア開成手段によりドアが自動的に開成するようにしたものである。
【００２６】
また、請求項２では、インターフェース部は、ドア前面に取り付けられ、前方に露出しているものである。
【００２７】
また、請求項３では、インターフェース部と連動するドア開成手段は、インターフェース部からの入力を伝達する伝達手段と、ドアを閉止状態に保つ第一のローラレール部と、開き始めにドア開成力を付勢する第三のローラレール部と、ドアが開ききるようにドア開成力を付勢する第二のローラレール部と、インターフェース部からの入力をドア開成力として保持するエネルギー保持手段とを備え、インターフェース部からの入力が終了した後にエネルギー保持手段に蓄えられたドア開成力によってドアを自動的に開成させるものである。
【００２８】
また、請求項４では、ドアは、ドア閉止時にドアの回転中心を通る鉛直線上よりドアが閉止する方向にドア重心位置を配置することにより、ドアが閉止する方向にドア自重を作用させ、ドア開成手段によりドアの回転中心を通る鉛直線上を超えてドアが開成する方向にドア重心位置を移動させた後の開成動作中にドアが開成する方向にドア自重を作用させるものである。
【００２９】
さらに、請求項５では、ドア開成手段は、開き始めに第三のローラレール部によってドア開成力をドアアームに付勢すると同時に、第一のローラレール部のローラとレールを引き離すように構成されていることによりドア閉止力を解除するものである。
【００３０】
また、請求項６では、ドア開成手段において、エネルギー保持手段は、ドア開成動作時にその保持状態を解除するように構成されているものである。
【００３１】
さらに、請求項７では、インターフェース部を操作しないとき、手動でドアを開成することを可能としたものである。
【発明の効果】
【００３２】
本発明の請求項１によれば、大きな鍋や皿などをもっていて両手がふさがっている時でも装置前面に前方に露出しているインターフェース部をひじや手の甲などで操作することによりドアが開成可能となるため、使い勝手が良くなる効果がある。
【００３３】
また、請求項２によれば、汚れた手などでドア前面を汚すことなくドアの開成が可能となり、使い勝手が良くなる効果がある。
【００３４】
また、請求項３によれば、インターフェース部からの入力が終了した後にエネルギー保持手段に蓄えられたドア開成力によってドアを自動的に開成させるため、インターフェース部を操作中にドアが開成することがなくなり、手や腕が熱いドアに触れて火傷をする恐れが軽減される。
【００３５】
また、請求項４によれば、ドア閉止時には常にドアを閉止する方向にドア自重が作用するため、安定して閉止状態を保つものであり、また、ドア開成時には、ドアを開成する方向にドア自重が作用するため、ドアを完全に開成させると共に安定して開成状態を保つことが可能である。
【００３６】
さらに、請求項５によれば、ドアの開閉動作に必要な作用力が軽減される。
【００３７】
また、請求項６によれば、ドア閉止動作時にドアが確実に閉止することが可能である。
【００３８】
さらに、請求項７によれば、インターフェース部を操作しないとき、手動でドアを開成することが可能であり、これによって、ドア開成手段が故障したときでも手動でドアの開閉が可能となる。
【発明を実施するための最良の形態】
【００３９】
以下、本発明の実施例を図面に基づいて説明する。
【００４０】
図２、図３、図４及び図５はキャビネット８を除去した状態の右側面図である。
【００４１】
１０はインターフェース部で、使用者がドア６を開ける為に押す操作部分であり、ドア６の上方で、使用者が縦開きドアを開成したり閉止したりする部分の左右何れかの側の角部に位置し、高周波加熱装置の前方に露出するように設けられている。
【００４２】
１０ａは出し入れ可能なプランジャで、インターフェース部１０の動きを伝えるためのものであり、インターフェース部１０を押した時に突出し、離した時はドア６内に収まるものである。
【００４３】
１２、１３はリンクで、リンク１２は一端をプランジャ１０ａと接離し、他端は回転支点１３ｂをリンク１３と共有している。リンク１３は前記回転支点１３ｂと、回転中心１３ｃと、ローラ１４ｂを支持する回転支点１３ｄとを有し、さらに、回転中心１５ａを持つラッチ部１５ｂを備えるエネルギー保持手段１５と接触する突出部１３ａを有している。このリンク１２とリンク１３で構成されるユニットを伝達手段１７と称す。
【００４４】
１４ａ、１４ｂはローラで、ドアアーム７がスムーズに動作できるように設けられているものである。
【００４５】
７はドアアームで、一端はドア６に回転可能に支持され、他端はコイルバネ１６に接続されている。そして、コイルバネ１６のもう一方はドア６を回転中心６ｃで支えるドアヒンジ２３に固定され、さらにドアヒンジ２３は本体１を構成する底板２２に固定されている。
【００４６】
ドアアーム７は、ドア６の開閉によりローラ１４ａ、１４ｂに沿ってレール部が移動する。また、ドアアーム７の形状はドア６の開閉により、ドア６の位置によって必要とされる機能に合わせて形状を決定している。その形状は、ドア６の閉止時にはローラ１４ａの位置にあるレール形状は、ドア６を閉める方向に引き込む作用をする傾斜を持った形状のレール７ｄと、ドア６が開き始めから開ききる直前までにローラ１４ａを移動するレール７ｅと、開ききってローラ１４ａを受け止める形状のストッパ部７ａとからなり、さらにＬ形状をしたストッパ部７ｂと、ローラ１４ｂによりドア６の閉止状態からドア６を開く方向に力が作用する傾斜をしたレール７ｆとレール７ｇを持つフック部７ｃからなっている。
【００４７】
１６はコイルバネで、ドア６の開閉にともないドアアーム７がローラ１４ａの上を移動し、その動きに伴いコイルバネ１６が伸ばされ縮もうとするエネルギーを利用する。例えば、ドア６を閉めたときはドア６を前板５に密着させる方向に働き、ドア６を開けて行くとドア６の重さで急激に開くのを防止し、さらに開ききって停止するときの衝撃を和らげる働きをする。
【００４８】
以後説明しやすいように、ドア６の開閉時に各ローラ１４ａ、１４ｂを移動するドアアーム７の各レール部分について次のように分別する。ローラ１４ａの位置にレール７ｄがある状態を第一のローラレール部１８とする。また、ローラ１４ａの位置にレール７ｅがある状態を第二のローラレール部１９とする。そし
て、レール７ｆの位置にローラ１４ｂがあり、ストッパ部７ｂを含めて第三のローラレール部２０とする。
【００４９】
ドアアーム７、伝達手段１７、第三のローラレール部２０、エネルギー保持手段１５、コイルバネ１６で構成されるユニットをドア開成手段２１と称し、これらは本体１と加熱室３の間に一方の側の側面（図では左側面）に組み込まれている。
【００５０】
このように構成された高周波加熱装置の作用について説明する。
【００５１】
使用者が食品２を加熱室３に収納し、取手６ｂをつかんでドア６を持ち上げるように閉め始めるとドアアーム７のストッパ部７ａがローラ１４ａからはずれ、ドアアーム７に固定されているコイルバネ１６に引っ張られて移動し、ドア６が開口部４を塞ぐとともに前板５に密着固定される。
【００５２】
ドア６が前板５に密着固定された状態におけるインターフェース部１０に内蔵されるプランジャ１０ａの一端は、リンク１２と非接触の状態ではリンク１２に対してなんら力を作用させることなく保持されている。従って、リンク１２及びリンク１３は回転動作することなく、図２に示すようにローラ１４ａはドアアーム７のレール７ｄに接触している。ローラ１４ａとレール７ｄとが接触することにより図示しないドア６とドアアーム７との連結点とコイルバネ１６による作用力との関係により、ドア６を前板５に密着固定される力を有する。ローラ１４ｂとレール７ｆについては、接触していても非接触であっても良い。
【００５３】
図２において、ドア６は、図示していないドア６とドアアーム７とのドアアーム連結部と、ローラ１４ａとドアアーム７に設けられたレール７ｄとからなる第一のローラレール部１８と、ドアアーム７の他端に取り付けられたコイルバネ１６とを備えることにより閉止状態を保持する。
【００５４】
すなわち、第一のローラレール部１８のレール７ｄは、ローラ１４ａに対してレール７ｄの傾斜した形状とコイルバネ１６の縮む力でドア６を前板５方向に引き寄せる力が働き、ドア６を閉める方向に力が働く。さらに、ドア６のドア重心６ｄがドア６の回転中心６ｃより本体１の前板５寄りにあるため、ドア６の閉止状態を安定して保持することが出来る。
【００５５】
図３及び図４を用いて本発明によりドア６が自動で開く場合の動作を説明する。
【００５６】
図３に示すように、矢印ａ１のようにインターフェース部１０を変位あるいは力を作用させると、内蔵されているプランジャ１０ａは伝達手段１７の要素であるリンク１２と接触する。さらに押し込むと、リンク１２を矢印ａ１の方向に移動させる。このとき、リンク１２のプランジャ１０ａと接触しない他端は、回転支点１３ｂによりリンク１３と回転自由に連結されているため、リンク１２とリンク１３の連結部は矢印ａ２のごとく移動する。リンク１３は図２で示したように回転中心１３ｃに回転自由に固定されているため、矢印ａ３のごとく回動する。
【００５７】
次にリンク１３の回動によって、第三のローラレール部２０において、リンク１３に支持されたローラ１４ｂとドアアーム７のレール部７ｆとが接触し、ドアアーム７とドア６の連結部を支点にドアアーム７が矢印ａ４のごとく回転してコイルバネ１６が伸びる。
【００５８】
さらにリンク１３の回動によって、リンク１３に設けられた突出部１３ａの端部とエネルギー保持手段１５のラッチ部１５ｂとが嵌合して矢印ａ３と反対の方向への回動を抑制する。突出部１３ａとラッチ部１５ｂとが嵌合した状態では、リンク１３は、矢印ａ３と反対の方向への回動を抑制されているため、矢印ａ３と反対方向へ回動することができない。これによりコイルバネ１６が伸張した分のエネルギーを蓄えることが可能である。すなわち、インターフェース部１０からの入力が突出部１３ａとラッチ部１５ｂとを嵌合させるに十分な量であると
き、はじめてドア６の開成力が保持される。
【００５９】
このとき、蓄えられたコイルバネ１６のエネルギーにより、ドアアーム７がドア６を開く方向に押すように、レール７ｆの傾斜が形成されている。
【００６０】
さらにドアアーム７が矢印ａ４のように回動することにより、ローラ１４ａとレール７ｄとが非接触状態となり、ドア６を閉止しようとする力がなくなる。
【００６１】
リンク１３が回動することによって伸長したコイルバネ１６に蓄えられた力
は、リンク１３のレバー比（図２中に示したように、回転中心１３ｃと回転支点１３ｂ及び１３ｄとの距離をそれぞれＬ１及びＬ２で表したとき、Ｌ２／Ｌ１をレバー比と称す）によって減じられるので、インターフェース部１０で使用者が操作する力は軽い力で済む。
【００６２】
使用者が矢印ａ１の方向に変位あるいは力を与え続けているとき、ドア６に取り付けられたインターフェース部１０を使用者が押しつづけることになり、その結果、ドア６は開かない。
【００６３】
次に使用者がインターフェース部１０から手を離した場合の動作について図４を用いて説明する。
【００６４】
使用者がインターフェース部１０に変位あるいは力を付与することを止めると、使用者がインターフェース部１０に変位あるいは力を付与することによって蓄えられた図示していないコイルバネによるエネルギーによりプランジャ１０ａはドア６内に格納される。
【００６５】
今までドア６が開かない方向にかかっていた力がなくなると、ドアアーム７の第三のローラレール部２０により、ドアアーム７は矢印ａ６のようにドア６を開く方向に移動して第二のローラレール部１９においてローラ１４ａとレール７ｅとが接触し、ローラ１４ａの上をレール７ｅが移動する。
【００６６】
さらに第三のローラレール部２０に設けられたフック部７ｃが矢印ａ７のように移動してラッチ部１５ｂと接触し、回転中心１５ａ回りを基点として矢印ａ８の方向にラッチ部１５ｂを回転させる。その結果、突出部１３ａとラッチ部１５ｂとの嵌合状態が解除され、エネルギー保持状態が解除される。
【００６７】
ドアアーム７がさらに矢印ａ６のように移動すると、傾斜レール部７ｇ上をローラ１４ｂが転がり、ついにはローラ１４ｂと傾斜レール部７ｇとの接触状態がなくなり、図示していないコイルバネによって矢印ａ９のようにリンク１３が回転し、伝達手段１７は図２のごとき状態に復帰する。
【００６８】
ドア６が開き始めると、ドア重心６ｄが閉止状態の時とは反対方向に傾き始め、回転中心６ｃよりドア６の開く方向に移動すると、今度はドア６の自重により開き始める。
【００６９】
この時、コイルバネ１６はドア６が開くにしたがって伸ばされ、そのバネの縮む力でドアが自重で開いて行く速度を制御し、次に説明するドア６が開ききって止まる時の衝撃も緩和する働きをするものである。
【００７０】
図５にドア６が開ききった状態を示す。リンク１２及びリンク１３からなる伝達手段１７と、回転中心１５ａとラッチ部１５ｂからなるエネルギー保持手段１５とは図２に示すようにドア６が閉止状態にあるときの状態に復帰している。また、ドア６は、ローラ１４ａがドアアーム７のストッパ部７ａを受け止めることにより、安定に固定させられる。
【００７１】
本発明では、ドア開成力を付勢する第二のローラレール部１９及び第三のローラレール部２０は、ローラとレールによる転がり状態で達成されているが、すべりによって実現されても良い。
【００７２】
本発明では、ドア６を取手６ｂによる手動で操作した場合、伝達手段１７は何ら動作することがなく、第三のローラレール部２０に外力が働かないため、問題なく手動でドア６を開成させることができる。
【００７３】
このようにドア６に設けられたインターフェース部１０を操作することによりドア６が開成可能となり、両手が皿などを持っていてふさがれている時でも開成可能となる。
【００７４】
なお、インターフェース部１０は、上記の実施例ではドア６の上方で、左右何れかの側の角部に設けられているが、必ずしもこの位置に限定されるものではなく、例えば図６に示すようにドア６上方の取手６ｂの左端部に設けてもよし、中央部に設けても良い。
【００７５】
さらに、図６では本体１の前面がドア６である高周波加熱装置を示している
が、図７に示すように、本体前面に操作パネル２４等を別に備えているものにおいては、符号１０ｄで示すようにこの操作パネル２４等の位置に設けることもできる。すなわち、インターフェース部１０は、ドア６を含めた装置の前面の前方に露出して設けられていればよい。
【００７６】
また、このインターフェ−ス部１０は、図８に示すように符号１０ｅに示す取手６ｂの右端部（左端部でもよい）に設けて矢印ａ１０のように押し下げ動作によってプランジャ１０ａを動作させることもできる。
【００７７】
そして、図６、図７及び図８に示す位置にインターフェース部１０を設けた場合には、このインターフェース部１０の動きを伝えるプランジャ１０ａ及び、プランジャ１０ａと接触するリンク１２の取り付け位置や形状等を変更することにより可能となり、その変更も容易である。例えばプランジャ１０ａをフレキシブルロット等の引き回しの自由な材料を使用した構成にすれば、インターフェース部１０からリンク１２までの力の伝達を確実にすることができ、インターフェース部１０の取り付け位置を自由に変更することができる。
【図面の簡単な説明】
【００７８】
【図１】本発明の一実施例における高周波加熱装置の外観斜視図である。
【図２】本発明の一実施例における高周波加熱装置のドアが密閉している状態でキャビネットを除去した場合の右側面図である。
【図３】本発明の一実施例における高周波加熱装置のドアが密閉している状態でインターフェース部を操作した場合の右側面図である。
【図４】本発明の一実施例における高周波加熱装置のドアが半開している状態でキャビネットを除去した場合の右側面図である。
【図５】本発明の一実施例における高周波加熱装置のドアが全開している状態でキャビネットを除去した場合の右側面図である。
【図６】本発明の一実施例における高周波加熱装置のインターフェース部の設置位置の一例を説明する図である。
【図７】本発明の一実施例における高周波加熱装置の外観斜視図である。
【図８】本発明の一実施例における高周波加熱装置の外観斜視図である。
【符号の説明】
【００７９】
１  本体
２  食品
３  加熱室
４  開口部
５  前板
６  ドア
７  ドアアーム
８  キャビネット
１０  インターフェース部
１２  リンク
１３  リンク
１４  ローラ
１５  エネルギー保持手段
１６  コイルバネ
１７  伝達手段
１８  第一のローラレール部
１９  第二のローラレール部
２０  第三のローラレール部
２１  ドア開成手段
２２  底板
２３  ドアヒンジ
２４  操作パネル
【図１】
2005326084.tif 000003
【図２】
2005326084.tif 000004
【図３】
2005326084.tif 000005
【図４】
2005326084.tif 000006
【図５】
2005326084.tif 000007
【図６】
2005326084.tif 000008
【図７】
2005326084.tif 000009
【図８】
2005326084.tif 000010